(57)【要約】【課題】飼育管理が容易で、飼育容器内を良好な環境状態に保持し、甲殻類を個体別に飼育することが可能な甲殻類の飼育装置を提供する。【解決手段】水槽１内には甲殻類３を各別に収容するメッシュ状の飼育容器５をそれぞれ該水槽の底面７から上方に離した状態で取外し自在に配設し、各飼育容器は上端に開口部１３を備え、各飼育容器内に新鮮な飼育水１５を各別に供給する飼育水供給手段１７を設け、各飼育容器内に気泡を各別に供給する気泡供給手段２３を設け、更に、各飼育容器外に出た排泄物と残餌とを水槽の底部を一定方向に流れる水流３１により水槽の外部に排出させることを特徴とする甲殻類の飼育装置。【選択図】図１
2008035800.tif 000002
【特許請求の範囲】
【請求項１】
水槽内には甲殻類を各別に収容するメッシュ状の飼育容器をそれぞれ該水槽の底面から上方に離した状態で取外し自在に配設し、各飼育容器は上端に開口部を備え、各飼育容器内に新鮮な飼育水を各別に供給する飼育水供給手段を設け、各飼育容器内に気泡を各別に供給する気泡供給手段を設け、更に、各飼育容器外に出た排泄物と残餌とを水槽の底部を一定方向に流れる水流により水槽の外部に排出させることを特徴とする甲殻類の飼育装置。
【請求項２】
前記飼育水は海洋深層水若しくは他の海水又は淡水であることを特徴とする請求項１に記載の甲殻類の飼育装置。
【請求項３】
前記水流は水槽内を巡環することを特徴とする請求項１又は２に記載の甲殻類の飼育装置。
【請求項４】
前記飼育容器に対する光量又は光質の調整が可能であることを特徴とする請求項１〜３のいずれかに記載の甲殻類の飼育装置。
【請求項５】
前記飼育水の水温調節手段を備えさせたことを特徴とする請求項１〜４のいずれかに記載の甲殻類の飼育装置。
【請求項６】
飼育装置の排水を浄化手段により浄化清浄することにより再び飼育水として使用することを特徴とする請求項１〜５のいずれかに記載の甲殻類の飼育装置。
【請求項７】
前記水槽は、該水槽内の飼育水を利用して強制的に水流をつくることが可能な循環水槽であることを特徴とする請求項１〜６のいずれかに記載の甲殻類の飼育装置。
【請求項８】
前記甲殻類は、集団飼育では生存率が低い種類又は実験的に個別飼育が必要な種類であることを特徴とする請求項１〜７のいずれかに記載の甲殻類の飼育装置。
【発明の詳細な説明】
【技術分野】
【０００１】
本発明は、飼育管理が容易で、飼育容器内を良好な環境状態に保持し、甲殻類を個体別に（各別に）飼育することが可能な甲殻類の飼育装置に関するものである。
【背景技術】
【０００２】
エビ・カニ等の甲殻類は産業上重要な種類であり、試験研究的、学習教材的なものから産業的なものまで数多くの増養殖事業が実施されてきた。しかしながら、甲殻類を飼育する場合において、共食い等の個体間関係によりその生残率は極めて低かった。そこで、個体間の干渉を排除し、以て飼育対象の甲殻類の生残率を向上させることを目的に、個体別に飼育する装置が例えば特開昭６０−１３３８２０号公報に示す如く、多数開発されている。
【特許文献１】特開昭６０−１３３８２０号公報
【発明の開示】
【発明が解決しようとする課題】
【０００３】
しかしながら、上記従来の甲殻類の飼育装置においては、飼育容器が垂直方向に重なり又は固定されているため、観察、取り上げ、給餌等の飼育管理が容易でなく、他の飼育容器内を通過した飼育水が飼育容器に供給されるなど、各飼育容器内に新鮮な飼育水が供給されず、通気も各飼育容器にまんべんなく到達するようには配慮されてていなかった。      
【０００４】
試験研究的、学習教材的なものから産業的な増養殖事業において使用するための、飼育管理が容易で、飼育容器内を良好な環境状態に保持し、甲殻類を個体別に飼育することが可能な甲殻類の飼育装置の開発が求められている。
【０００５】
このような状況に鑑み、本発明は、飼育管理が容易で、飼育容器内を良好な環境状態に保持し、甲殻類を個体別に飼育することが可能な甲殻類の飼育装置を提供しようとしてなされたものである。
【課題を解決するための手段】
【０００６】
上記課題を解決するために、本発明は、下記の甲殻類の飼育装置を提供するものである。
【０００７】
（１）水槽内には甲殻類を各別に収容するメッシュ状の飼育容器をそれぞれ該水槽の底面から上方に離した状態で取外し自在に配設し、各飼育容器は上端に開口部を備え、各飼育容器内に新鮮な飼育水を各別に供給する飼育水供給手段を設け、各飼育容器内に気泡を各別に供給する気泡供給手段を設け、更に、各飼育容器外に出た排泄物と残餌とを水槽の底部を一定方向に流れる水流により水槽の外部に排出させることを特徴とする甲殻類の飼育装置
（請求項１）。
【０００８】
（２）前記飼育水は海洋深層水若しくは他の海水又は淡水である（請求項２）。
【０００９】
（３）前記水流は水槽内を巡環する（請求項３）。
【００１０】
（４）前記飼育容器に対する光量又は光質の調整が可能である（請求項４）。
【００１１】
（５）前記飼育水の水温調節手段を備えている（請求項５）。
【００１２】
（６）飼育装置の排水を浄化手段により浄化清浄することにより再び飼育水として使用する（請求項６）。
【００１３】
（７）前記水槽は、該水槽内の飼育水を利用して強制的に水流をつくることが可能な循環水槽である（請求項７）。
【００１４】
（８）前記甲殻類は、集団飼育では生存率が低い種類又は実験的に個別飼育が必要な種類である（請求項８）。
【発明の効果】
【００１５】
［請求項１の発明］
各飼育容器は、メッシュ状のものであるため、飼育水、気体（空気、酸素）、排泄物、残餌等が通過する。
【００１６】
飼育容器は甲殻類を各別に収容するため、甲殻類の共食いが防止され、その生存率が高まる。また、飼育対象甲殻類の履歴の把握が容易となり、トレースアビリティーの実践が可能となる。更に、この飼育装置は、試験研究的、学習教材的なものから産業的な増養殖事業において使用することができる。
【００１７】
各飼育容器は水槽の底面から上方に離した状態で配設され、各飼育容器外に出た排泄物と残餌とを水槽の底部を一定方向に流れる水流により水槽の外部に排出させるようにしているため、飼育容器内から水槽内に出た排泄物や残餌により飼育環境が悪化するおそれはない。即ち、飼育容器内を良好な環境状態に保持することが可能である。
【００１８】
各飼育容器は上端に開口部を備えているため、該開口部を介して各飼育容器内の甲殻類の観察や取り上げ、給餌等の飼育管理を容易に行なうことができる。なお、水面を各飼育容器の開口部よりも低く維持すれば、甲殻類が該開口部より飼育容器外に脱出するおそれはない。
【００１９】
各飼育容器は水槽内に取外し自在に配設されているため、水槽内の飼育容器を必要に応じて甲殻類のサイズに適した大きさとメッシュとを備えた飼育容器に容易に交換することができる。
【００２０】
各飼育容器内に新鮮な飼育水を各別に供給する飼育水供給手段を備えさせているため、各飼育容器内には常に新鮮な飼育水が注入される。
【００２１】
各飼育容器内に気泡を各別に供給する気泡供給手段を備えさせているため、飼育容器内が良好な環境状態に保持される。
【００２２】
［請求項２の発明］
飼育水として、海洋深層水若しくは他の海水又は淡水を使用することができるため、多種類の飼育条件を設定することができ、多種類の甲殻類を飼育することができる。
【００２３】
［請求項３の発明］
前記水流は水槽内を巡環するため、排泄物や残餌が水槽の排出口に効率良く運ばれ、水槽の外部へ効率良く排出される。
【００２４】
［請求項４の発明］
飼育容器に対する光量又は光質の調整が可能であるため、多種類の飼育条件を設定することができる。
【００２５】
［請求項５の発明］
飼育水の水温調節手段を備えさせているため、多種類の飼育条件を設定することができ、多種類の甲殻類を飼育することができる。
【００２６】
［請求項６の発明］
飼育装置の排水を浄化手段により浄化清浄することにより再び飼育水として使用することができるため、飼育水を効率的、省力的に利用することができる。
【００２７】
［請求項７の発明］
前記水槽は、該水槽内の飼育水を利用して強制的に水流をつくることができる循環水槽であるため、飼育水を効率的、省力的に利用することができる。
【００２８】
［請求項８の発明］
甲殻類は、集団飼育では生存率が低い種類又は実験的に個別飼育が必要な種類であるため、その甲殻類の生残、成長が向上し、効率的な増養殖事業が可能となり、さらに、その飼育履歴の把握が容易となる。
【発明を実施するための最良の形態】
【００２９】
符号１に示すものは水槽である。
【００３０】
水槽１内には甲殻類３を各別に収容するメッシュ状の飼育容器５、５・・・をそれぞれ該水槽１の底面７から上方に離した状態で取外し自在に配設する。甲殻類３は、各別に、即ち各飼育容器５に１匹ずつ、飼育容器５に収容される。
【００３１】
各飼育容器５は、飼育水、気体（空気、酸素）、排泄物、残餌等が通過可能なメッシュ９により形成されている。
【００３２】
各飼育容器５は、該水槽１の底面７から上方に離した状態で取外し自在に架台１１上に水平に載置されている。
【００３３】
各飼育容器５は上端に開口部１３を備えている。
【００３４】
各飼育容器５内に新鮮な飼育水１５を各別に供給する飼育水供給手段１７を備えさせる。
【００３５】
飼育水供給手段１７は、他の飼育容器５内を通過していない新鮮な飼育水１５を飼育容器５内に供給する。
【００３６】
即ち、飼育水供給手段１７は、各飼育容器５に対し少なくとも一つの注水口１９を備えている。各注水口１９からは新鮮な飼育水１５がよどみなく飼育容器５内に注水される。符号２０に示すものは、各注水口１９に飼育水１５を供給する飼育水供給管である。
【００３７】
各飼育容器５内に気泡２１を各別に供給する気泡供給手段２３を備えさせる。
【００３８】
気泡供給手段２３は、一例として、通気管２５を介して好ましくは各飼育容器５下方の気泡分散器２７へ気体（空気、酸素）を送り、該気体を気泡分散器２７に備えさせた多数の透孔２９、２９・・・より好ましくは微細な気泡２１、２１・・・として各飼育容器５内に送入するようにしてなるものである。
【００３９】
更に、各飼育容器５外に出た排泄物と残餌とを水槽１の底部を一定方向に流れる水流３１により水槽１の外部に排出させる。
【００４０】
即ち、飼育容器５の外部へ出た排泄物と残餌とが該飼育容器５の周辺や水槽１内の底部に留まって飼育環境を悪化させないようにするために、水槽１内に一定方向の水流３１をつくりだすための注水口３３を飼育水供給管２０に備えさせ、当該一定方向の水流３１により排泄物と残餌とが水槽１の底面７付近を移動して水槽１内の底面７に臨む排出口３５に運ばれ、該排出口３５から水槽１の外部へ排出されるようになす。
【００４１】
飼育水１５は海洋深層水若しくは他の海水又は淡水である。
【００４２】
前記水流３１は水槽１内を巡環する。
【００４３】
即ち、一例として、水槽１を図６に示す巡流水槽となすことにより、効率良く一定方向の水流を作り出し、排泄物と残餌とを水槽１の排出口３５から効率良く水槽１外部へ排出させる。
【００４４】
各飼育容器５に対する光の光量又は光質の調整が可能である。
【００４５】
即ち、一例として、水槽１に開閉自在の蓋３７を取り付け、該蓋３７を閉じることにより各飼育容器５内を暗状態になし、該蓋３７を開けることにより各飼育容器５を天然光下の状態にすることが可能である。
【００４６】
また、該蓋３７の内面に蛍光灯、発光ダイオード等の光源３９、３９・・・を取り付け、該光源３９、３９・・・により光量、光質を調整することが可能である。
【００４７】
飼育水１５の水温調節手段を備えさせる。
【００４８】
即ち、一例として、飼育水供給手段１７に水温調節機４１を備えさせ、該水温調節機４１により飼育水１５の水温調節を行なう。
【００４９】
また、水槽１内にヒーター、クーラー等の水槽内水温調節機４３を配設し、水温調節された飼育水１５が一時的に注水されない場合においても、該水槽内水温調節機４３により水槽１内の水温を調節するようにしてもよい。図６参照。
【００５０】
飼育装置の排水を濾過手段等の浄化手段４５により浄化清浄することにより再び飼育水１５として使用する。図５参照。
【００５１】
水槽１は、一例として、該水槽１内の飼育水１５を利用して強制的に水流をつくることができる循環水槽とする。
【００５２】
即ち、水槽１内の水流３１を確保するために、水槽１内の飼育水１５を利用して循環ポンプ４７により強制的に水流をつくることが可能な循環水槽を用いる。図５参照。
【００５３】
本発明における甲殻類３は、例えば、集団飼育では生存率が低い種類又は実験的に個別飼育が必要な種類であるものとする。
【００５４】
即ち、本発明においては、例えば、増養殖事業、飼育実験、学習教材等の対象とされる世界の全ての甲殻類が対象となる。
【００５５】
本発明における甲殻類３としては、例えば、タカアシガニ、オオエンコウガニ、タラバガニ、ハナサキガニ、イバラガニモドキ、イバラガニ、エゾイバラガニ、ケガニ、クリガニ、アサヒガニ、イシガニ、シマイシガニ、ヒラツメガニ、ショウジンガニ、ガザミ、タイワンガザミ、ノコギリガザミ、ジャノメガザミ、サワガニ、モクズガニ、中国モクズガニ、ブルークラブ、ダンジネスクラブ、ヨーロッパケアシガニ、ヨーロッパイチョウガニ、ロッククラブ、レッドクラブ、タスマニアオオガニ、ズワイガニ、ベニズワイガニ、アカザエビ、クルマエビ、ウシエビ、コウライエビ、クマエビ、ヨシエビ、シバエビ、モエビ、アカエビ、ツノナガチヒロエビ、ヒゲナガエビ、ジンケンエビ、ボタンエビ、トヤマエビ、ヒゴロモエビ、モロトゲアカエビ、ホッコクアカエビ、ホッカイエビ、イセエビ、ウチワエビ、セミエビ、ロブスター、サクラエビ、シラエビ、コシオリエビ、シャコ、テナガエビ、スジエビ等の食用甲殻類が挙げられる。
【００５６】
本発明においては、さらに、食用甲殻類のみでなく、オトヒメエビ、ショウグンエビ、アカシマモエビ、サラサエビ、ヒオドシエビ、ヌマエビ、テッポウエビ、ザリガニ、ヤドカリ、ヤシガニ、イソガニ、ワレカラ、ヨコエビ等の飼育、鑑賞、学習教材用等の甲殻類も対象とすることができる。
【００５７】
尚、本発明は上記の各実施の形態に限定されるものではない。
【図面の簡単な説明】
【００５８】
【図１】甲殻類を各別に収容するための飼育容器を示す断面図である。
【図２】同上飼育容器を示す斜視図である。
【図３】飼育装置の一例を示す断面図である。
【図４】同上飼育装置を示す斜視図である。
【図５】同上飼育装置の別の一例を示す斜視図である。
【図６】同上飼育装置の更に別の一例を示す斜視図である。
【図７】気泡分散器の一例を示す斜視図である。
【符号の説明】
【００５９】
１  水槽
３  甲殻類
５  飼育容器
７  底面
９  メッシュ
１１  架台
１３  開口部
１５  飼育水
１７  飼育水供給手段
１９  注水口
２０  飼育水供給管
２１  気泡
２３  気泡供給手段
２５  通気管
２７  気泡分散器
２９  透孔
３１  水流
３３  注水口
３５  排出口
３７  蓋
３９  光源
４１  水温調節機
４３  水槽内水温調節機
４５  浄化手段
４７  循環ポンプ
【図１】
2008035800.tif 000003
【図２】
2008035800.tif 000004
【図３】
2008035800.tif 000005
【図４】
2008035800.tif 000006
【図５】
2008035800.tif 000007
【図６】
2008035800.tif 000008
【図７】
2008035800.tif 000009